Podtech/llm-jp-corpus-v4-ja_patent huggingface dataset:
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
市民ブロードバンド無線サービス(CBRS)帯域向けのネットワーク管理デバイスによって、複数の市民ブロードバンドサービスデバイス(CBSD)から時分割複信(TDD)構成選好を受信するステップと、
前記ネットワーク管理デバイスによって、および前記TDD構成選好に少なくとも部分的に基づいて、複数の可能なTDD構成から1つのTDD構成を選択するステップと、
前記ネットワーク管理デバイスによって、前記選択されたTDD構成を識別する選択情報を送信するステップと
を含む方法。
【請求項２】
前記複数の可能なTDD構成は複数のアップリンクダウンリンク構成を含む、請求項1に記載の方法。
【請求項３】
前記複数のアップリンクダウンリンク構成は、3GPP TS 36.211アップリンクダウンリンク(UL-DL)構成0、1、および2を含む、請求項2に記載の方法。
【請求項４】
前記TDD構成選好のうちの1つのTDD構成選好は、スペクトルアクセスシステム(SAS)登録または共存マネージャ(CxM)登録中に登録メッセージのパラメータを介して受信される、請求項1に記載の方法。
【請求項５】
前記TDD構成選好の各TDD構成選好は、共通のTDD構成を識別し、
前記選択されたTDD構成は前記共通のTDD構成である、請求項1に記載の方法。
【請求項６】
前記TDD構成選好のうちの2つ以上のTDD構成選好は、共通のTDD構成を識別せず、
前記選択されたTDD構成は妥協TDD構成であり、
前記妥協TDD構成は、前記TDD構成選好のアップリンク/ダウンリンク(UL/DL)比の平均に少なくとも部分的に基づいて判断される、請求項1に記載の方法。
【請求項７】
前記妥協TDD構成は、前記複数の可能なTDD構成のうちの、前記平均に最も近いUL:DL比に関連付けられる、請求項6に記載の方法。
【請求項８】
前記平均は、市民ブロードバンドサービスデバイス(CBSD)ベースまたはネットワークベースで判断される、請求項6に記載の方法。
【請求項９】
前記選択情報は、
市民ブロードバンドサービスデバイス(CBSD)用の第1のチャネル割振りに関連付けられた前記妥協TDD構成と、
前記複数の可能なTDD構成のうちの1つのTDD構成選好であって、前記CBSD用の第2のチャネル割振りに関連付けられた、前記CBSDによって最初に示され、かつ前記TDD構成選好に少なくとも部分的に基づいて判断された、1つのTDD構成選好と
を識別し、
前記第2のチャネル割振りは、ガード帯域割振りと、前記第1のチャネル割振りの送信電力に対する送信電力削減とに関連付けられる、請求項6に記載の方法。
【請求項１０】
前記選択されたTDD構成はあらかじめ定義されたTDD構成である、請求項1に記載の方法。
【請求項１１】
チャネルは、TDD構成を識別する応答情報に少なくとも部分的に基づいて、前記CBRS帯域の市民ブロードバンドサービスデバイス(CBSD)に割り当てられ、
前記応答情報は、前記選択情報への応答として受信される、請求項1に記載の方法。
【請求項１２】
前記CBRS帯域の市民ブロードバンドサービスデバイス(CBSD)に割り当てられた1次チャネルについての送信電力削減は、前記TDD構成選好と、同一チャネル割振りを有するCBSDとの有害な干渉を避けるための分離メトリックとに少なくとも部分的に基づいて判断され、
前記分離メトリックは、同一チャネル割振りのための干渉回避に関連付けられた、経路損失メトリックまたは電力メトリックである、請求項1に記載の方法。
【請求項１３】
前記CBRS帯域の、市民ブロードバンドサービスデバイス(CBSD)に割り当てられたチャネル用のガード帯域は、
前記TDD構成選好と、
前記CBSD用の1次チャネル周波数ブロック割当て、他のCBSDの1次チャネル周波数ブロック割当て、有害な隣接チャネル干渉を避けるためのガード帯域メトリック、分離メトリック、または送信電力削減のうちの少なくとも1つと
にさらに少なくとも部分的に基づいて判断され、
前記分離メトリックは、同一チャネル割振りのための干渉回避に関連付けられた、経路損失メトリックまたは電力メトリックである、請求項1に記載の方法。
【請求項１４】
ワイヤレス通信のための装置であって、
市民ブロードバンド無線サービス(CBRS)帯域について、複数の市民ブロードバンドサービスデバイス(CBSD)から時分割複信(TDD)構成選好を受信するための手段と、
前記TDD構成選好に少なくとも部分的に基づいて、複数の可能なTDD構成から1つのTDD構成を選択するための手段と、
前記選択されたTDD構成を識別する選択情報を送信するための手段と
を備える装置。
【請求項１５】
ワイヤレス通信のためのコンピュータ実行可能なコードを記憶した非一時的コンピュータ可読記録媒体であって、コンピュータに、請求項1乃至13のいずれか1項に記載の方法を実行させるためのコードを備える、非一時的コンピュータ可読記録媒体。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
無線リンク制御(RLC)レイヤにおいて、プロトコルデータユニット(PDU)のRLCサービスデータユニット(SDU)セグメントを受信するステップと、
前記RLC SDUセグメントに関連するシーケンス番号が、前に受信されたPDUまたは前に受信されたRLC SDUセグメントに関連する最高シーケンス番号に対応する状態変数の値よりも大きいと決定するステップと、
前記受信されたRLC SDUセグメントと同じシーケンス番号に関連するバッファされたRLC SDUセグメントが、順が狂って受信されたと決定するステップと、
前記RLC SDUセグメントに関連する前記シーケンス番号が、前記状態変数の前記値よりも大きいとの前記決定と、前記受信されたRLC SDUセグメントと同じシーケンス番号に関連するバッファされたRLC SDUセグメントが、順が狂って受信されたとの前記決定とに少なくとも部分的に基づいて、前記最高シーケンス番号に対応する前記状態変数の前記値を更新し、再アセンブリタイマーを開始するステップとを含む、
方法。
【請求項２】
前記受信されたRLC SDUセグメントと同じシーケンス番号に関連するバッファされたRLC SDUセグメントが、順が狂って受信されたと決定するステップは、
前記受信されたRLC SDUセグメントに関連する前記シーケンス番号の第1のバイトが前記RLCレイヤにおける受信バッファ中にないと決定するステップを含む、
請求項1に記載の方法。
【請求項３】
前記受信されたRLC SDUセグメントと同じシーケンス番号に関連するバッファされたRLC SDUセグメントが、順が狂って受信されたと決定するステップは、
前記同じシーケンス番号をもつ前記バッファされたRLC SDUセグメントが、連続するバイト順にないと決定するステップを含む、
請求項1に記載の方法。
【請求項４】
前記最高シーケンス番号に対応する前記状態変数の前記値を更新することが、
前記最高シーケンス番号に対応する前記状態変数の前記値を、前記RLC SDUセグメントに関連する前記シーケンス番号を用いて、または前記RLC SDUセグメントに関連する前記シーケンス番号よりも大きい数を用いて更新することを含む、
請求項1に記載の方法。
【請求項５】
前記状態変数の前記値が、最初に0に設定される、
請求項4に記載の方法。
【請求項６】
前記RLC SDUセグメントに関連する前記シーケンス番号が、前記最高シーケンス番号に対応する前記状態変数の前記値よりも大きいと決定するステップは、
前記RLC SDUセグメントに関連する前記シーケンス番号が0よりも大きいと決定するステップを含む、
請求項5に記載の方法。
【請求項７】
前記再アセンブリタイマーがt-再アセンブリタイマーまたはt-並べ替えタイマーを備える、
請求項1に記載の方法。
【請求項８】
ワイヤレス通信のための装置であって、
無線リンク制御(RLC)レイヤにおいて、プロトコルデータユニット(PDU)のRLCサービスデータユニット(SDU)セグメントを受信する手段と、
前記RLC SDUセグメントに関連するシーケンス番号が、前に受信されたPDUまたは前に受信されたRLC SDUセグメントに関連する最高シーケンス番号に対応する状態変数の値よりも大きいと決定する手段と、
前記受信されたRLC SDUセグメントと同じシーケンス番号に関連するバッファされたRLC SDUセグメントが、順が狂って受信されたと決定する手段と、
前記RLC SDUセグメントに関連する前記シーケンス番号が、前記状態変数の前記値よりも大きいとの前記決定と、前記受信されたRLC SDUセグメントと同じシーケンス番号に関連するバッファされたRLC SDUセグメントが、順が狂って受信されたとの前記決定とに少なくとも部分的に基づいて、前記最高シーケンス番号に対応する前記状態変数の前記値を更新し、再アセンブリタイマーを開始する手段とを備える、
装置。
【請求項９】
前記受信されたRLC SDUセグメントと同じシーケンス番号に関連するバッファされたRLC SDUセグメントが、順が狂って受信されたと決定する手段は、
前記受信されたRLC SDUセグメントに関連する前記シーケンス番号の第1のバイトが前記RLCレイヤにおける受信バッファ中にないと決定する手段を備える、
請求項8に記載の装置。
【請求項１０】
前記受信されたRLC SDUセグメントと同じシーケンス番号に関連するバッファされたRLC SDUセグメントが、順が狂って受信されたと決定する手段は、
前記同じシーケンス番号をもつ前記バッファされたRLC SDUセグメントが、連続するバイト順にないと決定する手段を備える、
請求項8に記載の装置。
【請求項１１】
前記最高シーケンス番号に対応する前記状態変数の前記値を更新することが、
前記最高シーケンス番号に対応する前記状態変数の前記値を、前記RLC SDUセグメントに関連する前記シーケンス番号を用いて、または前記RLC SDUセグメントに関連する前記シーケンス番号よりも大きい数を用いて更新することを含む、
請求項8に記載の装置。
【請求項１２】
前記状態変数の前記値が、最初に0に設定される、
請求項11に記載の装置。
【請求項１３】
前記RLC SDUセグメントに関連する前記シーケンス番号が、前記最高シーケンス番号に対応する前記状態変数の前記値よりも大きいと決定する手段は、
前記RLC SDUセグメントに関連する前記シーケンス番号が0よりも大きいと決定する手段を備える、
請求項12に記載の装置。
【請求項１４】
前記再アセンブリタイマーが、t-再アセンブリタイマーまたはt-並べ替えタイマーを備える、
請求項8に記載の装置。
【請求項１５】
ワイヤレス通信のためのコードを記憶するコンピュータ可読記憶媒体であって、前記コードが、請求項1から7のいずれか一項に記載の方法をプロセッサに実行させるための、前記プロセッサによって実行可能な命令を備える、コンピュータ可読記憶媒体。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
無線リンク制御RLCレイヤにおいて下位層からプロトコルデータユニットPDUを受信するステップと、
RLCサービスデータユニットSDUセグメントに関連するシーケンス番号に対応する指示に少なくとも部分的に基づいて、前記PDUが前記RLC SDUセグメントであることを特定するステップと、
すでに受信されたPDUまたはすでに受信されたRLC SDUセグメントに少なくとも部分的に基づいて、前記RLC SDUセグメントが順が狂って受信されたと判定するステップと、
前記RLC SDUセグメントが順が狂って受信されたとの判定に少なくとも部分的に基づいてリアセンブリタイマーを起動するステップとを含む、
方法。
【請求項２】
受信バッファに記憶されている1つまたは複数のRLC SDUセグメントが正しい順序になっていないと判定するステップであって、前記リアセンブリタイマーが、前記受信バッファに記憶されている1つまたは複数のSDUセグメントが正しい順序になっていないとの判定に少なくとも部分的に基づいて、起動される、ステップをさらに含む、
請求項1に記載の方法。
【請求項３】
前記RLC SDUセグメントが順が狂って受信されたと判定するステップは、
前記受信されたRLC SDUセグメントおよび前記すでに受信されたPDUまたはすでに受信されたRLC SDUセグメントに少なくとも部分的に基づいて、RLC SDUの欠落したRLC SDUセグメントを特定するステップを含む、
請求項1に記載の方法。
【請求項４】
前記RLC SDUセグメントの前記欠落したRLC SDUセグメントを特定するステップは、
前記すでに受信されたPDU間またはすでに受信されたRLC SDUセグメント間のギャップを特定するステップを含む、
請求項3に記載の方法。
【請求項５】
前記欠落したRLC SDUセグメントは、前記RLC SDUの第1のバイトを含み、
前記受信されたRLC SDUセグメントは、前記第1のバイトに続く第2のバイトまたは前記RLC SDUの最後のバイトを含み、
前記受信されたRLC SDUセグメントは、対応するシーケンス番号を含まない、
請求項4に記載の方法。
【請求項６】
前記欠落したRLC SDUセグメントは、第1のシーケンス番号に関連付けられ、
前記受信されたRLC SDUセグメントに関連する前記シーケンス番号は、前記第1のシーケンス番号よりも大きい、
請求項4に記載の方法。
【請求項７】
前記RLC SDUセグメントに関連する前記シーケンス番号が、前記すでに受信されたPDUまたはすでに受信されたRLC SDUセグメントに関連する最大シーケンス番号よりも大きいと判定するステップと、
前記最大シーケンス番号に対応する変数の値を前記RLC SDUセグメントに関連する前記シーケンス番号によって更新するステップとをさらに含む、
請求項1に記載の方法。
【請求項８】
最大リアセンブル後シーケンス番号の後の最大未アセンブルシーケンス番号に少なくとも部分的に基づいて変数の値を更新するステップをさらに含む、
請求項1に記載の方法。
【請求項９】
前記シーケンス番号に対応する前記指示は、前記RLC SDUセグメントのヘッダにおける前記シーケンス番号を示す値または前記RLC SDUセグメントの前記ヘッダにおけるセグメント化識別子を含む、
請求項1に記載の方法。
【請求項１０】
前記リアセンブリタイマーに少なくとも部分的に基づいて、前記RLC SDUセグメントおよび1つまたは複数のすでに受信されたSDUセグメントを含む1つまたは複数のSDUのリアセンブリを実行するステップをさらに含む、
請求項1に記載の方法。
【請求項１１】
前記リアセンブリタイマーに関連するシーケンス番号に対応する1つまたは複数のSDUのリアセンブリを実行するステップであって、前記起動されるリアセンブリタイマーが、前記シーケンス番号に対応する、ステップと、
前記リアセンブリタイマーがしきい値を超えたことに少なくとも部分的に基づいて、前記シーケンス番号に関連する前記RLC SDUセグメントを破棄するステップとをさらに含む、
請求項1に記載の方法。
【請求項１２】
前記リアセンブリタイマーを起動する際に設定された最大リアセンブル後シーケンス番号の後の最大未アセンブルシーケンス番号に対応する変数の値に少なくとも部分的に基づいて、前記リアセンブリタイマーの満了時に受信バッファに記憶されている1つまたは複数の未アセンブルRLC SDUセグメントを破棄するステップをさらに含む、
請求項1に記載の方法。
【請求項１３】
前記受信バッファに残存する1つまたは複数のRLC SDUセグメントの順が狂っているとの判定に少なくとも部分的に基づいて、前記リアセンブリタイマーを再始動するステップをさらに含む、
請求項12に記載の方法。
【請求項１４】
ワイヤレス通信のための装置であって、
無線リンク制御RLCレイヤにおいて下位層からプロトコルデータユニットPDUを受信する手段と、
RLCサービスデータユニットSDUセグメントに関連するシーケンス番号に対応する指示に少なくとも部分的に基づいて前記PDUが前記RLC SDUセグメントであることを特定する手段と、
すでに受信されたPDUまたはすでに受信されたRLC SDUセグメントに少なくとも部分的に基づいて前記RLC SDUセグメントが順が狂って受信されたと判定する手段と、
前記RLC SDUセグメントが順が狂って受信されたとの判定に少なくとも部分的に基づいてリアセンブリタイマーを起動する手段とを備える、
装置。
【請求項１５】
ワイヤレス通信のためのコンピュータ可読記憶媒体であって、前記コンピュータ可読記憶媒体は、プロセッサに、請求項1〜13のいずれか一項に記載の方法を実行させる実行可能な命令を含む、コンピュータ可読記憶媒体。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
照明ドライバであって、
前記照明ドライバの一次負荷に電気的に接続するように構成された一次電力出力部であって、前記一次負荷は、ＬＥＤを含む光源である、一次電力出力部と、
前記照明ドライバの補助負荷に電気的に接続するように構成された補助電力出力部と、
電力を前記一次電力出力部及び前記補助電力出力部に供給するための電源と、
ドライバコントローラであって、
補助負荷が前記補助電力出力部に接続されること、又は前記補助電力出力部から切断されることによって特徴付けられ、生じた、前記補助電力出力部における電力消費の瞬間変化があるかどうかを判定する、及び
電力消費の前記変化が生じたと判定したことに応じて、前記補助負荷に関する少なくとも１つのアクションを実行するように構成されている、ドライバコントローラと、
を備え、
前記ドライバコントローラによって実行される前記少なくとも１つのアクションが、前記補助負荷のための認可チェックを実行し、前記チェックが、前記補助負荷が認可されていることを検出しなかった場合、警告信号を送信することであって、前記警告信号が前記一次負荷の動作を、警告を示すように制御することを含む、
照明ドライバ。
【請求項２】
前記一次出力部に供給される最大電力が、前記補助出力部に供給される最大電力よりも大きい、請求項１に記載の照明ドライバ。
【請求項３】
前記補助電力出力部に接続された補助負荷に供給される前記電力を制御可能に遮断又は制限するように構成された電力制限部を備える、請求項１又は２に記載の照明ドライバ。
【請求項４】
前記ドライバコントローラによって実行される前記少なくとも１つのアクションが、前記補助負荷のための識別信号の利用可能性を判定することを含む、請求項１乃至３の何れか一項に記載の照明ドライバ。
【請求項５】
前記識別信号が前記補助負荷のためのデジタル的に可読の識別情報を含み、前記照明ドライバが、前記識別信号が利用可能であると判定したことに応じて、前記補助負荷のための前記デジタル的に可読の識別情報を処理し、前記補助負荷の少なくとも１つの許可を決定するように構成された許可チェッカを備える、請求項４に記載の照明ドライバ。
【請求項６】
前記許可チェッカが、前記デジタル的に可読の識別情報が、前記補助負荷の少なくとも１つの許可を決定するべく、信頼できるライセンス付与機関によって生成されたライセンスデータを含むかどうかを検証するための暗号手段を用いるように構成されている、請求項５に記載の照明ドライバ。
【請求項７】
前記補助負荷の前記少なくとも１つの許可が、電力を前記照明ドライバから引き出すための許可を含み、前記ドライバコントローラが、前記補助負荷が、電力を前記照明ドライバから引き出すための許可に関連付けられていない場合、前記補助電力出力部に接続された補助負荷に供給される前記電力を遮断又は制限するように構成されている、請求項５又は６に記載の照明ドライバ。
【請求項８】
前記照明ドライバが、前記照明ドライバと前記補助負荷との間の通信チャネルを介して前記識別信号を受信するように構成されている、請求項４乃至７の何れか一項に記載の照明ドライバ。
【請求項９】
前記ドライバコントローラによって実行される前記少なくとも１つのアクションが、
接続された補助負荷によって引き出される最大電力を制限すること、
接続又は切断された補助負荷の識別を決定すること、
接続又は切断された補助負荷の分類タイプを決定すること、
補助負荷が前記補助電力出力部に接続されたか、又は前記補助電力出力部から切断されたかどうかを示す出力信号を生成すること、
前記一次負荷の電力引き出しと前記補助負荷の電力引き出しとを比較すること、
タイマを開始又は終了すること、
金銭又は課金トランザクションを開始又は終了すること、
前記補助負荷のための認可チェックを実行すること、及び
前記補助負荷のための認可チェックを実行し、前記チェックが、前記補助負荷が認可されていることを検出しなかった場合、警告信号を送信すること、
のうちの１つ以上を含む、請求項１乃至８の何れか一項に記載の照明ドライバ。
【請求項１０】
請求項１乃至９のいずれか一項に記載の照明ドライバを備える照明設備であって、前記一次電力出力部が、前記照明設備の光源に接続するように構成されており、前記補助電力出力部が、前記照明設備のための感知、制御、通信、又は監視能力を提供する補助負荷に接続するように構成されている、照明設備。
【請求項１１】
照明ドライバであって、前記照明ドライバの一次負荷に電気的に接続するように構成された一次電力出力部であって、前記一次負荷は、ＬＥＤを含む光源である、一次電力出力部と、前記照明ドライバの補助負荷に電気的に接続するように構成された補助電力出力部と、電力を前記一次電力出力部及び前記補助電力出力部に供給するための電源と、を有する照明ドライバの制御方法であって、
補助負荷が前記補助電力出力部に接続されること、又は前記補助電力出力部から切断されることによって特徴付けられ、生じた、前記補助電力出力部における電力消費の瞬間変化があるかどうかを判定するステップと、
電力消費の前記変化が生じたと判定したことに応じて、前記補助負荷に関する少なくとも１つのアクションを実行するステップと、
を含み、
前記少なくとも１つのアクションが、前記補助負荷のための認可チェックを実行し、前記チェックが、前記補助負荷が認可されていることを検出しなかった場合、警告信号を送信することであって、前記警告信号が前記一次負荷の動作を、警告を示すように制御することを含む、制御方法。
【請求項１２】
前記少なくとも１つのアクションが、前記補助負荷のための識別信号の利用可能性を判定することを含み、前記識別信号が前記補助負荷のためのデジタル的に可読の識別情報を含み、前記方法が、前記識別信号が利用可能であると判定したことに応じて、前記補助負荷の少なくとも１つの許可を決定するために、許可チェッカを用いて前記補助負荷のための前記デジタル的に可読の識別情報を処理するステップを含む、請求項１１に記載の制御方法。
【請求項１３】
前記補助負荷の前記決定された少なくとも１つの許可に基づいて、前記照明ドライバの前記補助電力出力部に接続された補助負荷に、及び／又は前記一次電力出力部に接続された一次負荷に供給される前記電力を制御可能に制限するステップを含む、請求項１２に記載の制御方法。
【請求項１４】
コンピュータプログラムコード手段を含むコンピュータプログラムであって、前記コンピュータプログラムコード手段が、前記コンピュータプログラムがコンピュータ上で実行されると、請求項１１乃至１３の何れか一項に記載の方法を実行するように構成されている、コンピュータプログラム。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
複数の活性層部を含む活性層と、
前記複数の活性層部を支持する複数の基板部分であり、前記各基板部分は、光透過材料と光注入表面と光抽出表面とを含み、前記光注入表面は前記活性層部と前記光抽出表面との間に配置される、複数の基板部分と、
前記複数の活性層部と関連する複数のアノード−カソードペアと、を有し、
前記複数の活性層部の各活性層部は、前記複数のアノード−カソードペアの異なる複数のアノード−カソードペアを含み、前記複数の基板部分の異なる基板部分を照射し、かつ、前記基板部分の前記光抽出表面を通して光を透過するように構成され、したがって、前記複数の活性層部と前記複数の基板部分が複数のピクセルを形成し、
前記各基板部分の光抽出表面は、前記複数のピクセルのピクセル側壁の間に光抽出表面凹部を含み、
前記ピクセル化ＬＥＤチップは、前記ピクセル側壁上に反射層を更に有する、
ピクセル化ＬＥＤチップ。 
【請求項２】
前記反射層は、金属反射体、誘導性反射体、または誘導性反射体と組み合わせた金属反射体の少なくとも１つを含む、
請求項１に記載のピクセル化ＬＥＤチップ。
【請求項３】
前記複数の基板部分は、炭化ケイ素又はサファイアを含む、
請求項１又は２に記載のピクセル化ＬＥＤチップ。
【請求項４】
アンダーフィル材は、前記複数のピクセルの各ピクセルについての前記複数のアノード−カソードペアの前記アノードと前記カソードとの間に配置される、
請求項１〜３のいずれか１項に記載のピクセル化ＬＥＤチップ。
【請求項５】
前記アンダーフィル材は、ショア−Ｄ硬度スケールデュロメータ値が約４０から約１００までの範囲である材料を含む、
請求項４に記載のピクセル化ＬＥＤチップ。
【請求項６】
前記複数のピクセル上にルミフォリック材料を更に有する、
請求項１から５のいずれか１項に記載のピクセル化ＬＥＤチップ。
【請求項７】
前記ルミフォリック材料は、蛍光体粒子と散乱粒子とを含む、
請求項６に記載のピクセル化ＬＥＤチップ。
【請求項８】
前記複数の基板部分の基板部分は、相互に不連続である、
請求項１から５のいずれか１項に記載のピクセル化ＬＥＤチップ。
【請求項９】
前記複数のピクセル上にルミフォリック材料を更に有し、
前記ルミフォリック材料は、前記複数の不連続な基板部分上で連続している、
請求項８に記載のピクセル化ＬＥＤチップ。
【請求項１０】
複数の活性層部を形成するために、活性層を通して複数の凹部または道を画定することと、
複数の独立して電気的にアクセス可能なピクセルを形成するために、前記複数の活性層部に複数のアノード−カソードペアを堆積することと、
前記複数のピクセルに第１のルミフォリック材料を付与することと、
複数の光分離素子を形成するために、前記複数のピクセルの各ピクセル間の前記第１のルミフォリック材料の少なくとも一部を取り除くことと、
を有するピクセル化ＬＥＤ照明装置を製造する方法。
【請求項１１】
前記第１のルミフォリック材料の少なくとも一部を取り除くことは、前記第１のルミフォリック材料に渡って鋸ブレードを通すことを含む、
請求項１０に記載の方法。
【請求項１２】
前記第１のルミフォリック材料と前記複数の光分離素子の上方に第２のルミフォリック材料を付与することを更に含む、
請求項１０又は１１に記載の方法。
【請求項１３】
前記複数のピクセルを前記実装面上方に取り付けた後に、前記複数の凹部または道の中、及び前記複数のアノード−カソードペアの間に、アンダーフィル材を付与することを更に有する、
請求項１０から１２のいずれか１項に記載の方法。
【請求項１４】
前記複数の活性層部を支持する複数の基板部分であり、前記方法は、前記第１のルミフォリック材料を付与する前に前記複数の基板部分を除去することを更に有する、
請求項１０から１２のいずれか１項に記載の方法。
【請求項１５】
前記第１のルミフォリック材料と前記複数の光分離素子の上方に第２のルミフォリック材料を付与することを更に有する、
請求項１４に記載の方法。
【請求項１６】
複数の活性層部を含む活性層と、
前記複数の活性層部を支持する複数の不連続な基板部分、を含む基板であって、各基板部分が光透過材料を含む、基板と、
前記複数の活性層部と関連する複数のアノード−カソードペアと、を有し、
前記複数の活性層部の各活性層部は、前記複数のアノード−カソードペアの異なるアノード−カソードペアを含み、前記複数の不連続な基板部分の異なる基板部分を照射し、かつ、前記基板部分を通して光を透過するように構成され、これにより前記複数の活性層部及び前記複数の不連続な基板部分が複数のピクセルを形成し、
アンダーフィル材が、（ｉ）前記複数のピクセルの横側壁の間、及び（ｉｉ）前記複数のピクセルの各ピクセルにおける前記アノード−カソードペアのアノードとカソードとの間、に配置され、
第１のルミフォリック材料が前記複数のピクセル上に配置され前記アンダーフィル材と接触する、
ピクセル化ＬＥＤチップ。
【請求項１７】
前記第１のルミフォリック材料は前記複数の不連続な基板部分と連続する、
請求項１６に記載のピクセル化ＬＥＤチップ。
【請求項１８】
前記第１のルミフォリック材料の上方の第２のルミフォリック材料をさらに有する、
請求項１６又は１７に記載のピクセル化ＬＥＤチップ。
【請求項１９】
前記第１のルミフォリック材料は、前記複数のピクセルのピクセル間に位置合わせされる複数の光分離素子を含む、
請求項１６から１８のいずれか１項に記載のピクセル化ＬＥＤチップ。
【請求項２０】
前記複数の光分離素子は、前記第１のルミフォリック材料中にカットを含む、
請求項１９に記載のピクセル化ＬＥＤチップ。
【請求項２１】
前記アンダーフィル材は、バインダ内で浮遊する光変更粒子、またはバインダ内で浮遊する光反射粒子を含む、
請求項１６から２０のいずれか１項に記載のピクセル化ＬＥＤチップ。
【請求項２２】
前記基板は、複数の不規則に分布されたマイクロスケールのテクスチュア特徴を含む、
請求項１６から２１のいずれか１項に記載のピクセル化ＬＥＤチップ。
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
適応マルチ変換（Adaptive Multiple Transforms；ＡＭＴ）に基づいてビデオ信号をデコードする方法であって、
前記ビデオ信号からＡＭＴインデックスを取得するステップであって、前記ＡＭＴインデックスは、変換設定グループ内の複数の変換組合せのいずれか１つを示し、前記変換設定グループは、離散サイン変換タイプ７（Discrete Sine Transform type 7；ＤＳＴ７）および離散コサイン変換タイプ８（Discrete Cosine Transform type 8；ＤＣＴ８）を有するステップと、
前記ＡＭＴインデックスに対応する変換組合せを導出するステップであって、前記変換組合せは、水平変換および垂直変換で構成され、前記ＤＳＴ７および前記ＤＣＴ８の少なくとも１つを有するステップと、
前記変換組合せに基づいて変換ユニットに対して逆変換を行うステップと、
前記変換ユニットに基づいて前記ビデオ信号を復元するステップと、を有し、
前記逆変換のための行列は、前記変換組合せのタイプと前記変換ユニットのサイズが３２以下であることとに基づいて導出される、方法。
【請求項２】
前記変換組合せは、前記変換ユニットの予測モード、サイズおよび形状の少なくとも１つに基づいて選択される、請求項１に記載の方法。
【請求項３】
前記ビデオ信号からＡＭＴフラグを取得するステップをさらに有し、
前記ＡＭＴフラグは、前記ＡＭＴが行われるか否かを表すのに使用され、
前記ＡＭＴインデックスは、前記ＡＭＴフラグに基づいて前記ＡＭＴが行われることに基づいて取得される、請求項１に記載の方法。
【請求項４】
前記ＡＭＴフラグに基づいてＡＭＴが行われることに基づいて、０でない変換係数の個数が閾値より大きいか否かを確認するステップをさらに有し、
前記ＡＭＴインデックスは、前記０でない変換係数の個数が前記閾値より大きいことに基づいて取得される、請求項３に記載の方法。
【請求項５】
前記逆変換を行うステップは、
前記垂直変換または前記水平変換が前記ＤＳＴ７または前記ＤＣＴ８である場合、前記ＤＳＴ７の逆変換または前記ＤＣＴ８の逆変換を列ごとに適用した後、行ごとに適用することを有する、請求項１に記載の方法。
【請求項６】
前記垂直変換または前記水平変換は、各行ごとにおよび／または各列ごとに異なるように適用される、請求項１に記載の方法。
【請求項７】
ＡＭＴフラグまたは前記ＡＭＴインデックスは、シーケンス、ピクチャ、スライス、ブロック、コーディングユニット、変換ユニットおよび予測ユニットの少なくとも１つのレベルにおいて定義される、請求項１に記載の方法。
【請求項８】
適応マルチ変換（Adaptive Multiple Transforms；ＡＭＴ）に基づいてビデオ信号をデコードする装置であって、
前記ビデオ信号からＡＭＴインデックスをパージングし、前記ＡＭＴインデックスは、変換設定グループ内の複数の変換組合せのいずれか１つを示し、前記変換設定グループは、離散サイン変換タイプ７（Discrete Sine Transform type 7；ＤＳＴ７）および離散コサイン変換タイプ８（Discrete Cosine Transform type 8；ＤＣＴ８）を有し、
前記ＡＭＴインデックスに対応する変換組合せを導出し、
前記変換組合せに基づいて変換ユニットに対して逆変換を行い、
前記変換ユニットに基づいて前記ビデオ信号を復元する、ように構成されるプロセッサを有し、
前記変換組合せは、水平変換および垂直変換で構成され、前記ＤＳＴ７および前記ＤＣＴ８の少なくとも１つを有し、
前記逆変換のための行列は、前記変換組合せのタイプと前記変換ユニットのサイズが３２以下であることとに基づいて導出される、装置。
【請求項９】
前記変換組合せは、前記変換ユニットの予測モード、サイズおよび形状の少なくとも１つに基づいて選択される、請求項８に記載の装置。
【請求項１０】
前記プロセッサは、さらに、
前記ビデオ信号からＡＭＴが行われるか否かを示すＡＭＴフラグをパージングするように構成され、
前記ＡＭＴインデックスは、前記ＡＭＴフラグに基づいてＡＭＴが行われる場合に取得される、請求項８に記載の装置。
【請求項１１】
前記プロセッサは、さらに、
前記ＡＭＴフラグに基づいてＡＭＴが行われることに基づいて、０でない変換係数の個数が閾値より大きいか否かを確認するように構成され、
前記ＡＭＴインデックスは、前記０でない変換係数の個数が前記閾値より大きいことに基づいて取得される、請求項１０に記載の装置。
【請求項１２】
前記プロセッサは、
前記垂直変換または前記水平変換が前記ＤＳＴ７または前記ＤＣＴ８である場合、前記ＤＳＴ７の逆変換または前記ＤＣＴ８の逆変換を列ごとに適用した後、行ごとに適用するように構成される、請求項８に記載の装置。
【請求項１３】
前記垂直変換または前記水平変換は、各行ごとにおよび／または各列ごとに異なるように適用される、請求項８に記載の装置。
【請求項１４】
適応マルチ変換（Adaptive Multiple Transforms；ＡＭＴ）に基づいてビデオ信号をエンコードする方法であって、
変換ユニットに適用される変換組合せを導出するステップであって、前記変換組合せは、水平変換および垂直変換で構成され、離散サイン変換タイプ７（Discrete Sine Transform type 7；ＤＳＴ７）および離散コサイン変換タイプ８（Discrete Cosine Transform type 8；ＤＣＴ８）の少なくとも１つを有するステップと、
前記変換組合せに基づいて、前記変換ユニットに対して変換を行うステップと、
前記変換組合せに対応するＡＭＴインデックスを生成するステップであって、前記ＡＭＴインデックスは、複数の変換組合せのいずれか１つを示すステップと、を有し、
前記変換に関する行列は、前記変換組合せのタイプと前記変換ユニットのサイズが３２以下であることとに基づいて導出される、方法。
【請求項１５】
画像デコード装置に画像デコード方法を行わせるビットストリームを記憶するコンピュータ読み取り可能媒体であって、前記画像デコード方法は、
ビデオ信号からＡＭＴインデックスを取得するステップであって、前記ＡＭＴインデックスは、変換設定グループ内の複数の変換組合せのいずれか１つを示し、前記変換設定グループは、離散サイン変換タイプ７（Discrete Sine Transform type 7；ＤＳＴ７）および離散コサイン変換タイプ８（Discrete Cosine Transform type 8；ＤＣＴ８）を有するステップと、
前記ＡＭＴインデックスに対応する変換組合せを導出するステップであって、前記変換組合せは、水平変換および垂直変換で構成され、前記ＤＳＴ７および前記ＤＣＴ８の少なくとも１つを有するステップと、
前記変換組合せに基づいて変換ユニットに対して逆変換を行うステップと、
前記変換ユニットに基づいて前記ビデオ信号を復元するステップと、を有し、
前記逆変換のための行列は、前記変換組合せのタイプと前記変換ユニットのサイズが３２以下であることとに基づいて導出される、媒体。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
チャネル状態情報(CSI)報告において報告されるべきビームの数を示す構成を受信するステップと、
基準信号のセットを受信するステップと、
1つまたは複数の空間レイヤについて、および前記基準信号のセットに少なくとも部分的に基づいて、前記CSI報告において報告するための前記ビームの数に対応するビームのセットを識別するステップであって、前記ビームのセットが、少なくとも1つの非ゼロ電力ビームを備える、ステップと、
前記1つまたは複数の空間レイヤの各々のための前記少なくとも1つの非ゼロ電力ビームの各々のためのビーム係数と、前記少なくとも1つの非ゼロ電力ビームのインジケータとを備える、前記CSI報告を生成するステップと、
前記CSI報告を送信するステップと
を含む方法。
【請求項２】
前記構成が、ポート選択コードブックを示し、前記少なくとも1つの非ゼロ電力ビームが、非ゼロ電力アンテナポートのセットを備える、請求項1に記載の方法。
【請求項３】
前記少なくとも1つの非ゼロ電力ビームの前記インジケータが、ゼロ電力ビームのインジケータを備え、非ゼロ電力ビームのセットが、前記インジケータおよび前記ビームのセットに基づいて決定される、請求項1に記載の方法。
【請求項４】
前記ビームのセットを識別するステップが、
前記1つまたは複数の空間レイヤのための第1のアンテナポートのセットまたは第2のアンテナポートのセットのうちの少なくとも1つのための前記少なくとも1つの非ゼロ電力ビームを識別するステップ
を含む、請求項1に記載の方法。
【請求項５】
前記インジケータが、前記ビームのセットにおける前記非ゼロ電力ビームの数を示すビットのセットを備え、前記数の前記非ゼロ電力ビームのうちの各非ゼロ電力ビームが、前記1つまたは複数の空間レイヤの各々における前記第1のアンテナポートのセットおよび前記第2のアンテナポートのセットに適用される、請求項4に記載の方法。
【請求項６】
前記インジケータが、前記ビームのセットにおける非ゼロ電力ビームのセットを示すビットのセットを備え、前記非ゼロ電力ビームのセットのうちの各非ゼロ電力ビームが、前記1つまたは複数の空間レイヤの各々における前記第1のアンテナポートのセットおよび前記第2のアンテナポートのセットに適用される、請求項4に記載の方法。
【請求項７】
ワイヤレス通信のための方法であって、
チャネル状態情報(CSI)報告において報告されるべきビームの数を示す構成を、ユーザ機器(UE)に送信するステップと、
基準信号のセットを送信するステップと、
前記UEから前記CSI報告を受信するステップであって、前記CSI報告が、前記CSI報告において報告するための前記ビームの数に対応するビームのセットを示し、前記CSI報告が、1つまたは複数の空間レイヤの各々のための前記ビームのセットのうちの各非ゼロ電力ビームのための少なくとも1つのビーム係数と、前記ビームのセットにおける少なくとも1つの非ゼロ電力ビームのインジケータとをさらに備える、ステップと、
前記CSI報告に少なくとも部分的に基づいて、前記少なくとも1つのビーム係数をパースするステップと
を含む方法。
【請求項８】
前記基準信号のセットを送信するステップが、
それぞれのアンテナポート上で、基準信号を送信するステップであって、前記ビームのセットのうちの各ビームが、前記アンテナポートのうちの1つに対応する、ステップ
を含む、請求項7に記載の方法。
【請求項９】
前記少なくとも1つの非ゼロ電力ビームの前記インジケータが、ゼロ電力ビームのインジケータを備え、前記方法が、
前記インジケータおよび前記ビームのセットに基づいて、非ゼロ電力ビームのセットを決定するステップをさらに含む、請求項7に記載の方法。
【請求項１０】
前記ビームのセットが、前記1つまたは複数の空間レイヤのための第1のアンテナポートのセットおよび第2のアンテナポートのセットに適用される、請求項7に記載の方法。
【請求項１１】
前記インジケータが、前記ビームのセットにおける非ゼロ電力ビームの数を示すビットのセットを備え、前記数の非ゼロ電力ビームのうちの各非ゼロ電力ビームが、前記1つまたは複数の空間レイヤの各々における前記第1のアンテナポートのセットおよび前記第2のアンテナポートのセットに適用される、請求項10に記載の方法。
【請求項１２】
前記インジケータが、前記ビームのセットにおける非ゼロ電力ビームのセットを示すビットのセットを備え、前記非ゼロ電力ビームのセットのうちの各非ゼロ電力ビームが、前記1つまたは複数の空間レイヤの各々における前記第1のアンテナポートのセットおよび前記第2のアンテナポートのセットに適用される、請求項10に記載の方法。
【請求項１３】
ワイヤレス通信のための装置であって、
チャネル状態情報(CSI)報告において報告されるべきビームの数を示す構成を受信するための手段と、
基準信号のセットを受信するための手段と、
1つまたは複数の空間レイヤについて、前記CSI報告において報告するための前記ビームの数に対応するビームのセットを識別するための手段であって、前記ビームのセットが、少なくとも1つの非ゼロ電力ビームを備える、手段と、
前記1つまたは複数の空間レイヤの各々のための前記少なくとも1つの非ゼロ電力ビームの各々のためのビーム係数と、前記少なくとも1つの非ゼロ電力ビームのインジケータとを備える、前記CSI報告を生成するための手段と、
前記CSI報告を送信するための手段と
を備える装置。
【請求項１４】
ワイヤレス通信のための装置であって、
チャネル状態情報(CSI)報告において報告されるべきビームの数を示す構成を、ユーザ機器(UE)に送信するための手段と、
基準信号のセットを送信するための手段と、
前記UEから前記CSI報告を受信するための手段であって、前記CSI報告が、前記CSI報告において報告するための前記ビームの数に対応するビームのセットを示し、前記CSI報告が、1つまたは複数の空間レイヤの各々のための前記ビームのセットのうちの各非ゼロ電力ビームのためのビーム係数のセットと、前記ビームのセットにおける少なくとも1つの非ゼロ電力ビームのインジケータとをさらに備える、手段と、
前記非ゼロ電力ビームの前記インジケータに少なくとも部分的に基づいて、前記ビーム係数のセットをパースするための手段と
を備える装置。
【請求項１５】
命令を含むコンピュータプログラムであって、前記命令がプロセッサによって実行されると、請求項1から6または7から12のいずれか一項に記載の方法を実行する、コンピュータプログラム。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
皮膚の弛緩、質感あるいはクレープ、または体の輪郭を改善するための局所用組成物であって、
１〜１０ｐｐｍで存在するトリペプチド−１、
約０．００１重量％〜約６重量％で存在するヘキサペプチド−１１、および、
０．５〜１０ｐｐｍで存在するヘキサペプチド−１２、を含み、ここで前記局所用組成物は、皮膚の弛緩または体の輪郭を改善する、局所用組成物。
【請求項２】
テトラペプチドをさらに含む、請求項１に記載の局所用組成物。
【請求項３】
前記テトラペプチドは、１〜１０ｐｐｍで存在する、請求項２に記載の局所用組成物。
【請求項４】
前記テトラペプチドは、テトラペプチド−２である、請求項２に記載の局所用組成物。
【請求項５】
前記テトラペプチド−２は、アセチルテトラペプチド−２を含む、請求項４に記載の局所用組成物。
【請求項６】
前記ヘキサペプチド−１１は、約０．００２重量％〜約４重量％、または、約０．００５重量％〜約０．０２重量％で存在する、請求項１に記載の局所用組成物。
【請求項７】
セラミドＮＰ、トレメラフシフォルミス抽出物、ナイアシンアミド、水素化レシチン、Ｃ１２〜１６アルコール、パルミチン酸、アボカド抽出物、シアバター、ベントナイト、フィトエン／フィトフルエン、ヒドロキシメトキシフェニル  デカノン、ポリホロシド、ヘラオオバコ、ディル抽出物、ホスファチジルセリン、オレウロペイン、加水分解Ｃａｎｄｉｄａ  ｓａｉｔｏａｎａ抽出物、ツボクサ  チタニア、プロパンジオール、レシチン、ユーグレナグラシリス抽出物、水、カフェイン、Ｇｌａｕｃｉｕｍ  ｆｌａｖｕｍ葉抽出物、またはそれらの組み合わせをさらに含む、請求項１に記載の局所用組成物。
【請求項８】
前記局所用組成物は、皮膚の弛緩、質感あるいはクレープ、または体の輪郭を改善するための方法において使用される、請求項１から７のいずれか１つに記載の局所用組成物。
【請求項９】
前記局所用組成物は、身体形成手順、皮膚弛緩処置、または非侵襲的整形手順と組み合わせて使用され、または、前記局所用組成物は、身体形成手順、皮膚弛緩処置、または非侵襲的整形手順の後に使用され、または、前記局所用組成物は、身体形成手順、皮膚弛緩処置、または非侵襲的整形手順の１日後まで使用される、請求項８に記載の局所用組成物。
【請求項１０】
前記身体形成手順、皮膚弛緩処置、または非侵襲的整形手順は、高周波集束超音波、パルス集束超音波、凍結脂肪分解、高周波誘導エレクトロポレーション、注射可能な脂肪分解剤、脂肪吸引、身体輪郭整形手順、またはそれらの組み合わせを含む、請求項９に記載の局所用組成物。
【請求項１１】
皮膚の弛緩、質感あるいはクレープ、または体の輪郭を改善するための、または、脂肪の減少あるいは脂肪滴の除去を促進するための、局所用組成物であって、該局所用組成物は、
トリペプチド−１、
ヘキサペプチド−１１、および、
ヘキサペプチド−１２、を含み、ここで前記局所用組成物は、皮膚の弛緩、質感あるいはクレープ、または体の輪郭を改善するための、または、脂肪の減少あるいは脂肪滴の除去を促進するための方法において使用される、局所用組成物。
【請求項１２】
前記トリペプチド−１は、１〜１０ｐｐｍで存在する、請求項１１に記載の局所用組成物。
【請求項１３】
テトラペプチドをさらに含み、ここで前記テトラペプチドはテトラペプチド−２であり、ここで前記テトラペプチドは１〜１０ｐｐｍで存在する、請求項１１に記載の局所用組成物。
【請求項１４】
前記ヘキサペプチド−１１は、約０．００１重量％〜約６重量％で、または約０．００２重量％〜約４重量％で、または約０．００５重量％〜約０．０２重量％で存在し、および前記ヘキサペプチド−１２は、０．５〜１０ｐｐｍで存在する、請求項１１に記載の局所用組成物。
【請求項１５】
前記局所用組成物は、セラミドＮＰ、トレメラフシフォルミス抽出物、ナイアシンアミド、水素化レシチン、Ｃ１２〜１６アルコール、パルミチン酸、アボカド抽出物、シアバター、ベントナイト、フィトエン／フィトフルエン、ヒドロキシメトキシフェニル  デカノン、ポリホロシド、ヘラオオバコ、ディル抽出物、ホスファチジルセリン、オレウロペイン、加水分解Ｃａｎｄｉｄａ  ｓａｉｔｏａｎａ抽出物、ツボクサ  チタニア、プロパンジオール、レシチン、ユーグレナグラシリス抽出物、水、カフェイン、Ｇｌａｕｃｉｕｍ  ｆｌａｖｕｍ葉抽出物、またはそれらの組み合わせからなる群から選択される１つ以上の付加的な成分をさらに含む、請求項１１に記載の局所用組成物。
【請求項１６】
脂肪の減少または脂肪滴の除去を促進するための局所用組成物であって、
１〜１０ｐｐｍで存在するトリペプチド−１、
約０．００１重量％〜約６重量％で存在するヘキサペプチド−１１、および、
０．５〜１０ｐｐｍで存在するヘキサペプチド−１２、を含み、ここで前記局所用組成物は脂肪の減少または脂質滴の除去を促進する、局所用組成物。
【請求項１７】
テトラペプチドをさらに含み、ここで前記テトラペプチドはテトラペプチド−２である、請求項１６に記載の局所用組成物。
【請求項１８】
前記テトラペプチドは、１〜１０ｐｐｍで存在する、請求項１７に記載の局所用組成物。
【請求項１９】
前記ヘキサペプチド−１１は、約０．００２重量％〜約４重量％、または約０．００５重量％〜約０．０２重量％で存在する、請求項１６に記載の局所用組成物。
【請求項２０】
セラミドＮＰ、トレメラフシフォルミス抽出物、ナイアシンアミド、水素化レシチン、Ｃ１２〜１６アルコール、パルミチン酸、アボカド抽出物、シアバター、ベントナイト、フィトエン／フィトフルエン、ヒドロキシメトキシフェニル  デカノン、ポリホロシド、ヘラオオバコ、ディル抽出物、ホスファチジルセリン、オレウロペイン、加水分解Ｃａｎｄｉｄａ  ｓａｉｔｏａｎａ抽出物、ツボクサ  チタニア、プロパンジオール、レシチン、ユーグレナグラシリス抽出物、水、カフェイン、Ｇｌａｕｃｉｕｍ  ｆｌａｖｕｍ葉抽出物、またはそれらの組み合わせをさらに含む、請求項１６に記載の局所用組成物。